(57)【要約】【課題】表示部と操作部とを確実に固定すること。【解決手段】携帯端末は、表示部と、ユーザに対して表示部への操作入力を行わせる保持操作部と、保持操作部が表示部の内部または背面に収容されている第１の状態と、保持操作部が表示部の下部から突出している第２の状態とを切り換える位置切換部と、表示部に設けられた第１の磁石と、保持操作部に設けられ、保持操作部が第１の状態にある場合に、第１の磁石と吸引しあう第２の磁石とを備える。【選択図】図３
2009267489.tif 000002
【特許請求の範囲】
【請求項１】
表示部と、
ユーザに対して前記表示部への操作入力を行わせる保持操作部と、
前記保持操作部が前記表示部の内部または背面に収容されている第１の状態と、前記保持操作部が前記表示部の下部から突出している第２の状態とを切り換える位置切換部と、
前記表示部に設けられた第１の磁石と、
前記保持操作部に設けられ、前記保持操作部が前記第１の状態にある場合に、前記第１の磁石と吸引しあう第２の磁石と
を備える携帯端末。
【請求項２】
前記位置切換部は、
前記保持操作部を前記表示部に対して回動可能に支持する回動支持部を有し、前記保持操作部を回動させることにより、前記保持操作部の前記第１の状態と前記第２の状態とを切り換える請求項１に記載の携帯端末。
【請求項３】
前記保持操作部が前記第１の状態にある場合に、前記第１の磁石と前記第２の磁石とを反発させることにより、前記保持操作部を前記第２の状態となる方向に回動させる第１の磁石制御部をさらに備える請求項２に記載の携帯端末。
【請求項４】
前記位置切換部は、前記第１の状態と、前記第２の状態と、前記保持操作部が前記表示部の側部から突出されている第３の状態とを切り換える請求項１に記載の携帯端末。
【請求項５】
前記位置切換部は、
前記保持操作部を前記表示部に対して摺動可能に支持する摺動支持部と、前記保持操作部を前記表示部に対して回動可能に支持する回動支持部とを有し、前記保持操作部を摺動させることにより、前記保持操作部の前記第１の状態と前記第３の状態とを切り換え、前記保持操作部を回動させることにより、前記保持操作部の前記第３の状態と前記第２の状態とを切り換える請求項４に記載の携帯端末。
【請求項６】
前記保持操作部が前記第１の状態にある場合に、前記第１の磁石と前記第２の磁石とを反発させることにより、前記保持操作部を前記第３の状態となる方向に摺動させる第３の磁石制御部をさらに備える請求項５に記載の携帯端末。
【請求項７】
前記表示部に設けられた第３の磁石と、
前記保持操作部に設けられ、前記保持操作部が前記第２の状態にある場合に、前記第３の磁石と吸引しあう第４の磁石と
をさらに備える請求項６に記載の携帯端末。
【請求項８】
前記保持操作部が前記第２の状態にある場合に、前記第３の磁石と前記第４の磁石とを反発させることにより、前記保持操作部を前記第１の状態となる方向に回動させる第２の磁石制御部をさらに備える請求項７に記載の携帯端末。
【発明の詳細な説明】
【技術分野】
【０００１】
本発明は、携帯端末に関する。本発明は、特に、表示部と操作部とを有する携帯端末に関する。
【背景技術】
【０００２】
近年、携帯端末の操作部を開閉する機構としては、クラムシェル機構、スライド機構が多く用いられている。これらの機構を用いた携帯端末にあっては、表示部の大画面化に伴って、操作部も大型化されてきており、保持性および操作性が低下するといった問題が生じている。
【０００３】
また、画面上に操作部が設けられているタッチパネル機構を採用した携帯端末が市販化されている。このような携帯端末にあっては、画面に干渉せずに保持することが困難である、片手で保持と操作を同時におこなうことができない、操作時に画面の視認性および操作反応速度が低下する、などの問題が生じている。
【０００４】
そこで、操作部を表示部に対して９０度回転させることにより、操作部を開閉する携帯電話が考案されている（例えば、特許文献１参照。）。このような携帯電話によれば、大画面の表示部を用いた場合であっても、上記したような、保持性、視認性、操作性についての問題を解決できるものとされている。
【特許文献１】特開２００７−６００５９号公報
【発明の開示】
【発明が解決しようとする課題】
【０００５】
しかしながら、上記携帯電話では、表示部に対して操作部を確実に固定することができない。このため、振動によって表示部と操作部との間にガタつきが生じてしまう。ガタつきは、ユーザに対して不快感を与えるだけでなく、故障の原因ともなる。
【課題を解決するための手段】
【０００６】
上記課題を解決するために、本発明の第１の形態においては、携帯端末であって、表示部と、ユーザに対して表示部への操作入力を行わせる保持操作部と、保持操作部が表示部の内部または背面に収容されている第１の状態と、保持操作部が表示部の下部から突出している第２の状態とを切り換える位置切換部と、表示部に設けられた第１の磁石と、保持操作部に設けられ、保持操作部が第１の状態にある場合に、第１の磁石と吸引しあう第２の磁石とを備える。
【０００７】
なお、上記の発明の概要は、本発明の必要な特徴の全てを列挙したものではなく、これらの特徴群のサブコンビネーションもまた、発明となりうる。
【発明を実施するための最良の形態】
【０００８】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００９】
図１は、表示部１１０の背面に保持操作部１２０が収容された第１の状態の携帯端末１００の外観を示す。携帯端末１００は、表示部１１０、保持操作部１２０、および開閉スイッチ１３０を備える。
【００１０】
表示部１１０は、各種情報を表示する。保持操作部１２０は、ユーザに対して表示部１１０への操作入力を行わせる。携帯端末１００は、保持操作部１２０を表示部１１０の内部に収容する構成を有していてもよい。
【００１１】
開閉スイッチ１３０は、ユーザに対して保持操作部１２０を開閉するための操作入力を行わせる。開閉スイッチ１３０は、物理的な一つのスイッチを有してもよく、物理的な複数のスイッチを有してもよい。たとえば、開閉スイッチ１３０は、保持操作部１２０を開くためのスイッチおよび保持操作部１２０を閉じるためのスイッチとして機能する物理的な一つのスイッチを有してもよい。また、開閉スイッチ１３０は、保持操作部１２０を開くためのスイッチとして機能する物理的なスイッチと、保持操作部１２０を閉じるためのスイッチとして機能する物理的なスイッチとをそれぞれ有してもよい。
【００１２】
ユーザが誤って開閉スイッチ１３０を押下してしまった場合に保持操作部１２０の開閉動作がおこなわれないように、開閉スイッチ１３０のロック機構をさらに備えてもよい。たとえば、開閉スイッチ１３０が長押しされた場合に、保持操作部１２０の開閉動作がおこなわれてもよい。
【００１３】
開閉スイッチ１３０は、表示部１１０を片手で把持することにより携帯端末１００を保持した場合に、押下しやすい位置に設けられていることが好ましい。たとえば、図１に示す携帯端末１００では、表示部１１０を左手で把持することにより携帯端末１００を保持した場合に、押下しやすい位置に設けられている。なお、開閉スイッチ１３０は、保持操作部１２０にも設けられていることが好ましい。特に、保持操作部１２０が第２の状態にある場合であって、保持操作部１２０を片手で握ることにより携帯端末１００保持した場合に、押下しやすい位置に設けられていることが好ましい。
【００１４】
第１の状態では、保持操作部１２０に設けられた操作部が露出していない。このため、第１の状態では、ユーザは、保持操作部１２０に設けられた操作部を利用することができない。たとえば、第１の状態では、ユーザは、操作が不要なアプリケーションを利用できる。
【００１５】
表示部１１０は、表面上に操作部がさらに設けられていてもよい。この場合、第１の状態では、ユーザは、表示部１１０の表面上に設けられている操作部により操作可能なアプリケーションをさらに利用できる。
【００１６】
表示部１１０は、表示画面上に操作部が設けられたタッチパネル機構をさらに有してもよい。この場合、第１の状態では、ユーザは、表示画面上に設けられている操作部により操作可能なアプリケーションをさらに利用できる。
【００１７】
たとえば、第１の状態では、携帯端末１００を、音楽プレーヤー、ボイスレコーダ、時計、ＩＣカード、電子ブックなどとして利用してもよい。また、携帯端末１００が放送チューナおよび放送アンテナを備えている場合、携帯端末１００を、テレビ、ラジオなどの放送受信装置として利用してもよい。また、携帯端末１００が撮像部を有している場合、携帯端末１００を、デジタルカメラとして利用してもよい。
【００１８】
図２は、保持操作部１２０が表示部１１０の下部から突出している第２の状態の携帯端末１００の外観を示す。第２の状態では、保持操作部１２０に設けられた操作部が露出している。また、保持操作部１２０は、片手で握りやすい形状およびサイズを有する。このため、第２の状態では、ユーザは、片手で携帯端末１００を保持しながら、保持操作部１２０に設けられた操作部を利用することができる。たとえば、第２の状態では、保持操作部１２０に設けられた操作部により操作可能なアプリケーションを利用できる。
【００１９】
たとえば、第２の状態では、携帯端末１００を、携帯電話、携帯ゲーム機、インターネット端末、電子辞書、ワープロ、リモコンなどとして利用してもよい。なお、第２の状態であっても、操作が不要なアプリケーション、表示部１１０の表面上に設けられている操作部により操作可能なアプリケーション、または表示画面上に設けられている操作部により操作可能なアプリケーションを利用してもよい。
【００２０】
たとえば、保持操作部１２０に設けられた操作ボタンを利用する場合、ユーザは、図１に示した第１の状態から、開閉スイッチ１３０を押下する。これにより、表示部１１０と保持操作部１２０とのロックが解除される。そして、手動により、保持操作部１２０を方向Ａに略９０度回動させる。これにより、携帯端末１００は、図２に示す第２の状態となる。
【００２１】
携帯端末１００は、第２の状態になると、表示部１１０と保持操作部１２０とをロックする。なお、携帯端末１００は、開閉スイッチ１３０が押下されると、自動的に、保持操作部１２０を方向Ａに略９０度回動させる構成を有してもよい。
【００２２】
一方、保持操作部１２０に設けられた操作部を利用しない場合、ユーザは、図２に示した第２の状態から、開閉スイッチ１３０を押下する。これにより、表示部１１０と保持操作部１２０とのロックが解除される。そして、手動により、保持操作部１２０を方向Ｂに略９０度回動させる。これにより、携帯端末１００は、図１に示す第１の状態となる。
【００２３】
携帯端末１００は、第１の状態になると、表示部１１０と保持操作部１２０とをロックする。なお、携帯端末１００は、開閉スイッチ１３０が押下されると、自動的に、保持操作部１２０を方向Ｂに略９０度回動させる構成を有してもよい。
【００２４】
携帯端末１００は、保持操作部１２０が第１の状態にあるときと、第２の状態にあるときとで、表示部１１０が表示する内容を切り換えてもよい。また、携帯端末１００は、保持操作部１２０が第１の状態にあるときと、第２の状態にあるときとで、利用できるアプリケーションの操作方法を切り換えてもよい。また、携帯端末１００は、保持操作部１２０が第１の状態にあるときと、第２の状態にあるときとで、アプリケーションの操作方法を切り換えてもよい。
【００２５】
図３は、第１の状態にある携帯端末１００の正面図を示す。図４は、第２の状態にある携帯端末１００の正面図を示す。
【００２６】
表示部１１０の背面には、保持操作部１２０のサイズおよび形状と略同形状を有する空間である収容部が設けられている。これにより、第１の状態において、保持操作部１２０は、表示部１１０の表面から突出することなく、表示部１１０の背面に収容される。なお、以降の説明では、表示部１１０の長手方向を横方向と示す。また、表示部１１０の短手方向を縦方向と示す。
【００２７】
表示部１１０は、横方向（長手方向）のサイズとしてＷ１を有する。また、表示部１１０は、縦方向（短手方向）のサイズとしてＨ１を有する。たとえば、表示部１１０としては、Ｗ１が１３５ｍｍ、Ｈ１が８０ｍｍの大画面のものを用いてもよい。
【００２８】
また、保持操作部１２０は、携帯端末１００が第２の状態にある場合の縦方向（長手方向）のサイズとしてＨ２を有する。また、保持操作部１２０は、携帯端末１００が第２の状態にある場合の横方向（短手方向）のサイズとしてＷ２を有する。サイズＨ２は、１００ｍｍ以上であることが好ましい。サイズＷ２は、５０ｍｍ以下であることが好ましい。
【００２９】
第１の状態においては、保持操作部１２０の長手方向と表示部１１０の長手方向とが略０度の角をなす。第２の状態においては、保持操作部１２０の長手方向と表示部１１０の長手方向とが略９０度の角をなす。
【００３０】
携帯端末１００は、保持操作部１２０が表示部１１０の内部または背面に収容されている第１の状態と、保持操作部１２０が表示部の下部から突出している第２の状態とを切り換える位置切換部をさらに備える。具体的には、携帯端末１００は、保持操作部１２０を表示部１１０に対して第１の状態と第２の状態と間で略９０度回動可能に支持する回動支持部３１０を有する。位置切換部は、回動支持部３１０によって支持された保持操作部１２０を回動させることにより、保持操作部１２０の第１の状態と第２の状態とを切り換える。
【００３１】
位置切換部は、保持操作部１２０を、ユーザに対して手動で回動させてもよい。また、位置切換部は、弾性体、モータなどを用いて、保持操作部１２０を自動的に回動させてもよい。
【００３２】
回動支持部３１０は、ベアリングなど、保持操作部１２０の回動を円滑にする機構を設けてもよい。また、回動支持部３１０は、ダンパーなど、保持操作部１２０が回動する速度を制限する機構を設けてもよい。
【００３３】
携帯端末１００は、第１の磁石３０１、第２の磁石３０２、第３の磁石３０３、第４の磁石３０４、および第５の磁石３０５をさらに備える。第１の磁石３０１は、表示部１１０に設けられる。第２の磁石３０２は、保持操作部１２０に設けられる。具体的には、第２の磁石３０２は、保持操作部１２０が第１の状態にある場合に、第１の磁石３０１と対向する位置に設けられる。
【００３４】
第３の磁石３０３は、表示部１１０に設けられる。第４の磁石３０４は、保持操作部１２０に設けられる。具体的には、第４の磁石３０４は、保持操作部１２０が第２の状態にある場合に、第３の磁石３０３と対向する位置に設けられる。
【００３５】
第５の磁石３０５は、表示部１１０に設けられる。具体的には、第５の磁石３０５は、保持操作部１２０が第１の状態にある場合に、第４の磁石３０４と対向する位置に設けられる。
【００３６】
保持操作部１２０が第１の状態にある場合においては、第２の磁石３０２と第１の磁石３０１とが吸引しあう。また、保持操作部１２０が第１の状態にある場合においては、第５の磁石３０５と第４の磁石３０４とが吸引しあう。これにより、保持操作部１２０が第１の状態にある場合においては、表示部１１０と保持操作部１２０とがロックされる。
【００３７】
保持操作部１２０が第２の状態にある場合においては、第４の磁石３０４と第３の磁石３０３とが吸引しあう。これにより、保持操作部１２０が第２の状態にある場合においては、表示部１１０と保持操作部１２０とがロックされる。
【００３８】
上記した各磁石には、磁極および磁力の動的な制御が可能な電磁石を用いてもよい。なお、上記した各磁石のうち、磁極の動的な制御が不要な磁石には、永久磁石を用いてもよい。たとえば、対向しあう二つの磁石のうちの一方の磁石に電磁石を用いた場合は、他方の磁石に永久磁石を用いてもよい。対向しあう二つの磁石の双方に電磁石を用いてもよいことはいうまでもない。また、本実施形態の携帯端末１００では、対向しあう二つの磁石が並列するように設けられているが、これに限らず、たとえば、対向しあう二つの磁石が重なりあうように設けられていてもよい。
【００３９】
図５は、携帯端末１００の機能構成例を示す。携帯端末１００は、既に説明した開閉スイッチ１３０、第１の磁石３０１、第２の磁石３０２、第３の磁石３０３、第４の磁石３０４、および第５の磁石３０５に加えて、磁石制御部５００をさらに備える。
【００４０】
磁石制御部５００は、開閉スイッチ１３０が押下されたことを検知した場合、保持操作部１２０の状態に応じて、第１の磁石３０１、第２の磁石３０２、第３の磁石３０３、第４の磁石３０４、または第５の磁石３０５の少なくともいずれか一つの磁極および磁力を制御する。たとえば、磁石制御部５００は、対向する二つの磁石を吸引させる場合には、対向する二つの磁石の磁極が異なるように、対向する二つの磁石に対して電流を印加する。また、磁石制御部５００は、対向する二つの磁石を反発させる場合には、対向する二つの磁石の磁極が同一となるように、対向する二つの磁石に対して電流を印加する。上記した磁石制御部５００の機能は、たとえば携帯端末１００に内蔵された電子回路によって実現される。
【００４１】
図６は、磁石制御部５００による制御の一例を示す。たとえば、磁石制御部５００は、保持操作部１２０が収容されている状態（第１の状態）にある場合に、第１の磁石３０１と第２の磁石３０２とを吸引させる。また、第４の磁石３０４と第５の磁石３０５とを吸引させる。これにより、磁石制御部５００は、表示部１１０と保持操作部１２０とをロックする。なお、磁石制御部５００は、保持操作部１２０が収容されている状態（第１の状態）にある場合に、第３の磁石３０３をＯＦＦにしてもよい。
【００４２】
また、磁石制御部５００は、第１の磁石制御部として、保持操作部１２０が収容されている状態（第１の状態）にある場合に、第１の磁石３０１と第２の磁石３０２とを反発させる。また、第４の磁石３０４と第５の磁石３０５とを反発させる。また、第３の磁石３０３と第４の磁石３０４とを吸引させる。これにより、磁石制御部５００は、保持操作部１２０を、保持操作部１２０が突出されている状態（第２の状態）となる方向へ回動させる。
【００４３】
また、磁石制御部５００は、保持操作部１２０が突出されている状態（第２の状態）にある場合に、第３の磁石３０３と第４の磁石３０４とを吸引させる。これにより、磁石制御部５００は、表示部１１０と保持操作部１２０とをロックする。なお、磁石制御部５００は、保持操作部１２０が突出されている状態（第２の状態）にある場合に、第１の磁石３０１、第２の磁石３０２、および第５の磁石３０５をＯＦＦにしてもよい。
【００４４】
また、磁石制御部５００は、第２の磁石制御部として、保持操作部１２０が突出されている状態（第２の状態）にある場合に、第３の磁石３０３と第４の磁石３０４とを反発させる。また、第１の磁石３０１と第２の磁石３０２とを吸引させる。また、第４の磁石３０４と第５の磁石３０５とを吸引させる。これにより、磁石制御部５００は、保持操作部１２０を、保持操作部１２０が収容されている状態（第１の状態）となる方向へ回動させる。
【００４５】
図７は、第１の状態にある他の携帯端末１００の正面図を示す。図８は、第３の状態にある他の携帯端末１００の正面図を示す。図９は、第２の状態にある他の携帯端末１００の正面図を示す。以降では、図３〜図６を用いて説明した携帯端末１００との相違点について説明する。
【００４６】
携帯端末１００は、保持操作部１２０が表示部１１０の内部または背面に収容されている第１の状態と、保持操作部１２０が表示部の下部から突出している第２の状態と、保持操作部１２０が表示部１１０の側部から突出されている第３の状態とを切り換える位置切換部をさらに備える。具体的には、携帯端末１００は、保持操作部１２０を表示部１１０に対して第１の状態と第３の状態との間で摺動可能に支持する摺動支持部７００を有する。また、携帯端末１００は、保持操作部１２０を表示部１１０に対して第３の状態と第２の状態との間で略９０度回動可能に支持する回動支持部３１０を有する。
【００４７】
位置切換部は、摺動支持部７００によって支持された保持操作部１２０を摺動させることにより、保持操作部１２０の第１の状態と第３の状態とを切り換える。また、位置切換部は、回動支持部３１０によって支持された保持操作部１２０を回動させることにより、保持操作部１２０の第３の状態と第２の状態とを切り換える。
【００４８】
位置切換部は、保持操作部１２０を、ユーザに対して手動で摺動させてもよい。また、位置切換部は、弾性体、モータなどを用いて、保持操作部１２０を自動的に摺動させてもよい。また、位置切換部は、保持操作部１２０を、ユーザに対して手動で回動させてもよい。また、位置切換部は、弾性体、モータなどを用いて、保持操作部１２０を自動的に回動させてもよい。
【００４９】
摺動支持部７００は、ベアリングなど、保持操作部１２０の摺動を円滑にする機構を設けてもよい。また、摺動支持部７００は、ダンパーなど、保持操作部１２０が摺動する速度を制限する機構を設けてもよい。
【００５０】
回動支持部３１０は、ベアリングなど、保持操作部１２０の回動を円滑にする機構を設けてもよい。また、回動支持部３１０は、ダンパーなど、保持操作部１２０が回動する速度を制限する機構を設けてもよい。
【００５１】
たとえば、保持操作部１２０に設けられた操作ボタンを利用する場合、ユーザは、図７に示した第１の状態から、開閉スイッチ１３０を押下する。これにより、表示部１１０と保持操作部１２０とのロックが解除される。そして、手動により、保持操作部１２０を方向Ｃに摺動させる。これにより、携帯端末１００は、図８に示す第３の状態となる。
【００５２】
さらに、手動により、保持操作部１２０を方向Ｅに略９０度回動させる。これにより、携帯端末１００は、図９に示す第２の状態となる。携帯端末１００は、第２の状態になると、表示部１１０と保持操作部１２０とをロックする。なお、携帯端末１００は、開閉スイッチ１３０が押下されると、自動的に、保持操作部１２０を方向Ｃに摺動させる構成を有してもよい。また、携帯端末１００は、開閉スイッチ１３０が押下されると、自動的に、保持操作部１２０を方向Ｃに摺動させ、さらに自動的に、保持操作部１２０を方向Ｅに略９０度回動させる構成を有してもよい。
【００５３】
一方、保持操作部１２０に設けられた操作部を利用しない場合、ユーザは、図９に示した第２の状態から、開閉スイッチ１３０を押下する。これにより、表示部１１０と保持操作部１２０とのロックが解除される。そして、手動により、保持操作部１２０を方向Ｆに略９０度回動させる。これにより、携帯端末１００は、図８に示す第３の状態となる。
【００５４】
さらに、手動により、保持操作部１２０を方向Ｄに摺動させる。これにより、携帯端末１００は、図８に示す第３の状態となる。これにより、携帯端末１００は、図７に示す第１の状態となる。
【００５５】
携帯端末１００は、第１の状態になると、表示部１１０と保持操作部１２０とをロックする。なお、携帯端末１００は、開閉スイッチ１３０が押下されると、自動的に、保持操作部１２０を方向Ｆに略９０度回動させる構成を有してもよい。また、携帯端末１００は、開閉スイッチ１３０が押下されると、自動的に、保持操作部１２０を方向Ｆに略９０度回動させ、さらに自動的に、保持操作部１２０を方向Ｄに摺動させる構成を有してもよい。
【００５６】
磁石制御部５００は、第３の磁石制御部として、保持操作部１２０が収容されている状態（第１の状態）にある場合に、第１の磁石３０１と第２の磁石３０２とを反発させる。また、第４の磁石３０４と第５の磁石３０５とを反発させる。これにより、磁石制御部５００は、保持操作部１２０を、保持操作部１２０が表示部１１０の側部から突出されている（第３の状態）となる方向に摺動させる。
【００５７】
また、磁石制御部５００は、保持操作部１２０が表示部１１０の側部から突出されている（第３の状態）にある場合に、第１の磁石３０１と第２の磁石３０２とを吸引させる。また、第４の磁石３０４と第５の磁石３０５とを吸引させる。これにより、磁石制御部５００は、保持操作部１２０を、保持操作部１２０が収容されている状態（第１の状態）となる方向へ摺動させる。
【００５８】
図１０は、携帯端末１００の他の構成例を示す。図１０に示す携帯端末１００は、図１〜図９を用いて説明した携帯端末１００の構成に加えて、リモコン１０００をさらに備える。リモコン１０００は、表示部１１０および保持操作部１２０を含む携帯端末１００の本体との無線通信により、携帯端末１００の本体のアプリケーションを遠隔操作する。
【００５９】
また、リモコン１０００は、表示画面１０１０、押ボタン１０２１、および押ボタン１０２２を有する。また、リモコン１０００は、独立したバッテリーを有する。また、リモコン１０００は、携帯端末１００の本体のアプリケーションを体感的に操作するための、加速度センサ、ジャイロセンサなどの入力センサをさらに有する。また、リモコン１０００は、携帯端末１００の本体のアプリケーションからの情報をユーザに体感的に通知させるための、振動モータ、スピーカなどの出力デバイスをさらに有する。
【００６０】
リモコン１０００は、各種操作をおこなうための押ボタンをさらに有してもよい。また、リモコン１０００は、各種操作をおこなうための十字キーをさらに有してもよい。
【００６１】
たとえば、ユーザは、リモコン１０００を、単体で、携帯端末１００の本体のゲーム用のコントローラとして利用できる。また、ユーザは、リモコン１０００を、保持操作部１２０の操作部と組み合わせて、携帯端末１００の本体のゲーム用のコントローラとして利用できる。たとえば、リモコン１０００は、携帯端末１００の本体のゲームの状況をユーザに通知するためのメッセージを、表示画面１０１０上に表示する。また、リモコン１０００は、携帯端末１００の本体のゲームにおいて所定の処理が実行された場合、振動モータを駆動することにより、リモコン１０００を振動させる。また、リモコン１０００は、携帯端末１００の本体のゲームにおいて所定の処理が実行された場合、実行された処理に応じた音声をスピーカから出力する。
【００６２】
また、ユーザは、リモコン１０００を、携帯電話および電子メールの着信通知装置として利用できる。たとえば、リモコン１０００は、携帯端末１００の本体が携帯電話を着信した場合または電子メールを受信した場合に、その旨をユーザに通知するためのメッセージを、表示画面１０１０上に表示する。また、リモコン１０００は、携帯端末１００の本体が携帯電話を着信した場合または電子メールを受信した場合に、振動モータを駆動することにより、リモコン１０００を振動させる。また、リモコン１０００は、携帯端末１００の本体が携帯電話を着信した場合または電子メールを受信した場合に、その旨をユーザに通知するための音声を、スピーカから出力する。
【００６３】
このように、本実施形態の携帯端末１００によれば、大画面の表示部１１０を用いた場合であっても、握りやすいサイズの保持操作部１２０を表示部１１０の下部から突出させる構成としたので、ユーザは、画面に干渉せずに携帯端末１００を容易に保持することができるだけでなく、片手で保持と操作を同時におこなうことができる。また、保持操作部１２０を表示部１１０から独立して設ける構成としたので、ユーザは、タッチパネル機構を採用した携帯端末に比べ、画面の視認性および操作反応速度を低下させることなく操作することができる。
【００６４】
また、本実施形態の携帯端末１００によれば、磁石を制御することにより、保持操作部１２０を固定および解除する構成とした。このため、機械的な構造により操作部を固定および解除する携帯端末に比べて、簡単な構造とすることができるので、製造コストを削減できる。また、簡単な構造とすることにより、製品信頼性を向上できる。また、簡単な構造とすることにより、空間的な占有体積を少なくできるので、携帯端末１００の本体を小型化あるいは薄型化できる。
【００６５】
また、本実施形態の携帯端末１００によれば、保持操作部１２０の操作部を使用する状態、および保持操作部１２０の操作部を使用しない状態のそれぞれにおいて、表示部１１０と保持操作部１２０とを確実に固定できる。このため、保持操作部１２０の操作部を使用する状態、および保持操作部１２０の操作部を使用しない状態のいずれの状態においても、振動による表示部１１０と保持操作部１２０との間のガタつきが生じない。
【００６６】
また、本実施形態の携帯端末１００によれば、リモコン１０００をさらに備える構成とすることができる。リモコン１０００をさらに備えることにより、たとえば、ユーザは、携帯端末１００の本体をカバンの中にしまったままであっても、リモコン１０００によって、携帯電話を着信したことまたは電子メールを受信したことを容易に判断することができる。また、リモコン１０００は、加速度センサ、ジャイロセンサなどの入力センサを有しているので、ユーザは、携帯端末１００のゲームが表示されている表示部１１０を一方の手で固定したまま、携帯端末１００のゲームを、リモコン１０００により他方の手で体感的に操作できる。
【００６７】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００６８】
【図１】表示部１１０の背面に保持操作部１２０が収容された第１の状態の携帯端末１００の外観を示す。
【図２】保持操作部１２０が表示部１１０の下部から突出している第２の状態の携帯端末１００の外観を示す。
【図３】第１の状態にある携帯端末１００の正面図を示す。
【図４】第２の状態にある携帯端末１００の正面図を示す。
【図５】携帯端末１００の機能構成例を示す。
【図６】磁石制御部５００による制御の一例を示す。
【図７】第１の状態にある他の携帯端末１００の正面図を示す。
【図８】第３の状態にある他の携帯端末１００の正面図を示す。
【図９】第２の状態にある他の携帯端末１００の正面図を示す。
【図１０】携帯端末１００の他の構成例を示す。
【符号の説明】
【００６９】
１００  携帯端末
１１０  表示部
１２０  保持操作部
１３０  開閉スイッチ
３０１  第１の磁石
３０２  第２の磁石
３０３  第３の磁石
３０４  第４の磁石
３０５  第５の磁石
３１０  回動支持部
５００  磁石制御部
７００  摺動支持部
１０００  リモコン
１０１０  表示画面
１０２１  押ボタン
１０２２  押ボタン
【図１】
2009267489.tif 000003
【図２】
2009267489.tif 000004
【図３】
2009267489.tif 000005
【図４】
2009267489.tif 000006
【図５】
2009267489.tif 000007
【図６】
2009267489.tif 000008
【図７】
2009267489.tif 000009
【図８】
2009267489.tif 000010
【図９】
2009267489.tif 000011
【図１０】
2009267489.tif 000012